(57)【要約】【課題】  患者スキャンの速度及び品質を改善する複合型核医学／ＣＴシステムを提供する。【解決手段】  患者に対して核医学（例えば、ＳＰＥＣＴ又はＰＥＴ）スキャン及びＣＴスキャンを実行するとき、ボリューム・コーンビームＣＴスキャンが、ＣＴのコーンビームＸ線源２０とオフセットされた平面パネルＸ線検出器２２とを用いて実行される。Ｘ線源の視野は２つの核医学検出器ヘッド１８の視野と重なり合い、Ｘ線検出器２２のオフセットは、回転可能なガントリー１６の周りでの核医学検出器ヘッドの動作との干渉を最小化する。また、固定機構８０が、収容位置と稼働位置との各々でＸ線検出器２２の自動的な固定を提供し、安全性及びＣＴ画像品質を向上させる。【選択図】図２Ａ
2014039845.tif 000002
【特許請求の範囲】
【請求項１】
回転式ガントリーに搭載された少なくとも２つの核医学検出器ヘッド；
前記ガントリーに搭載されたＸ線源；
前記Ｘ線源に対向し且つ前記Ｘ線源に対してオフセットされて前記ガントリーに搭載されたＸ線検出器；及び
前記Ｘ線検出器と前記ガントリー上のマウントとにヒンジ動作可能に結合され、前記Ｘ線検出器を収納位置及び伸張位置で固定する自動固定式伸張アーム；
を含み、
前記Ｘ線源の視野（ＦＯＶ）と前記核医学検出器ヘッドのＦＯＶとが互いに重なり合い、
前記Ｘ線検出器は、使用されないときに前記回転式ガントリーの正面の後方に回転されるように、前記回転式ガントリーに回転可能に搭載される、
複合型患者撮像システム。
【請求項２】
前記Ｘ線源は、円錐状のＸ線ビームを、前記オフセットされたＸ線検出器に導く；
トランケーションされたビューを生成するように関心ボリューム（ＶＯＩ）が部分的に前記Ｘ線源のＦＯＶ内に位置付けられ、前記ガントリーはＣＴデータ収集中に前記ＶＯＩの周りでおよそ３６０°回転され、該ＦＯＶは、併せて撮影されたトランケーションされた１８０°の反対側のビューが前記ＶＯＩの完全な投影データセットを生成するようにトランケーションされる；
前記Ｘ線源は、前記ガントリーがＣＴデータ収集中に回転されるとき、前記ガントリーの中心を貫く長手方向軸に平行に、前記ＶＯＩに沿って長手方向に移動可能である；及び
前記Ｘ線検出器は長手方向に、前記回転式ガントリーの前記長手方向軸に平行に搭載されている；
のうちの少なくとも１つである請求項１に記載のシステム。
【請求項３】
前記Ｘ線検出器は平面パネル型検出器であり；且つ
前記核医学検出器ヘッドは、単光子放射型コンピュータ断層撮影（ＳＰＥＣＴ）検出器ヘッド又は陽電子放射型断層撮影（ＰＥＴ）検出器ヘッドのうちの少なくとも一方である；
請求項１に記載のシステム。
【請求項４】
前記伸張アームは、前記マウントと当該伸張アームとのそれぞれに結合されたヒンジ部を通って延在するヒンジピンを含み、前記伸張アームは、収納されるとき前記マウントに寄せて折り畳まれ、使用されるとき稼働位置までおよそ９０°折り返され；且つ
前記伸張アームは、少なくとも１つのスライダーを搭載したスライド式プレートを含み、前記少なくとも１つのスライダーは、前記スライド式プレートが部分的に前記伸張アームから外側に伸張するとき、第１の運動変換部を作動させる；
請求項１に記載のシステム。
【請求項５】
前記第１の運動変換部は、固定用ピンネジに、固定ピンをヒンジアセンブリの対応するヒンジ部内の第１の受入孔から解放させることを行わせ；且つ
前記伸張アームが前記稼働位置まで回転され、前記スライド式プレートが前記伸張アームから完全に伸張されるとき、前記少なくとも１つのスライダーは第２の運動変換部を作動させる；
請求項４に記載のシステム。
【請求項６】
前記第２の運動変換部は、前記固定用ピンネジに、前記固定ピンを第２の受入孔内に前進させて前記伸張アームを前記稼働位置に固定することを行わせる、請求項５に記載のシステム。
【請求項７】
前記伸張アームは、第１の回転軸の位置で前記Ｘ線検出器に結合され、且つ第２の回転軸の位置で前記ガントリー上の前記マウントに搭載され、
当該システムは、前記伸張アーム上のハンドルであり、引かれたときに前記伸張アーム内のカムを作動させるハンドル、を更に含み、
前記Ｘ線検出器が前記Ｘ線源に対向する前記伸張位置にくるまで、前記Ｘ線検出器は、前記第１の回転軸の周りで、前記伸張アームに寄せられた前記収納位置から回転し、前記伸張アームは、前記第２の回転軸の周りで、前記Ｘ線検出器と前記ガントリーの表面との間の前記収納位置から回転し；
前記カムの作動により、前記カムは第１及び第２のベアリングに力を印加し、該力が前記第１及び第２のベアリングからトラックに沿って第３及び第４のベアリングに伝達され、前記第３及び第４のベアリングにより、それぞれ、前記Ｘ線検出器を前記伸張位置に固定するように前記第１及び第２の回転軸に固定力が印加される；
請求項１に記載のシステム。
【請求項８】
回転式ガントリー上のマウントに、ヒンジピンによってヒンジ動作可能に結合された自動固定式伸張アームであり、平面パネルＸ線検出器に結合された伸張可能なスライド式プレートを含む自動固定式伸張アーム；
前記Ｘ線検出器に対向して前記ガントリーに結合されたコーンビームＸ線源であり、前記ガントリーを貫く長手方向軸に平行に、関心ボリューム（ＶＯＩ）に沿って長手方向に移動可能なＸ線源；
前記ガントリーに結合され、前記Ｘ線源の視野（ＦＯＶ）と重なり合うＦＯＶを有する２つの核医学検出器；
を含み、
前記伸張アームは、前記マウントに寄せられる収納位置と、前記Ｘ線検出器のＸ線受光面が前記Ｘ線源に面し且つ前記Ｘ線源から僅かにオフセットされる稼働位置との間で、前記ヒンジピンの周りでおよそ９０°回転する、
複合型被検体撮像システム。
【請求項９】
前記伸張アームは、少なくとも１つのスライダーを搭載したスライド式プレートを含み、前記少なくとも１つのスライダーは、前記スライド式プレートが部分的に前記伸張アームから外側に伸張するとき、第１の運動変換部を作動させ；
前記第１の運動変換部は、固定用ピンネジに、固定ピンを第１の受入孔から退避させることを行わせ；且つ
前記固定ピンが前記第１の受入孔から退避されると前記伸張アームが前記稼働位置まで回転され、前記少なくとも１つのスライダーは、前記スライド式プレートが前記伸張アームから完全に伸張されるとき、第２の運動変換部を作動させる；
請求項８に記載のシステム。
【請求項１０】
前記第２の運動変換部は、前記固定用ピンネジに、前記固定ピンを第２の受入孔内に前進させて前記伸張アームを前記稼働位置に固定することを行わせ；且つ
トランケーションされたビューを生成するように関心ボリューム（ＶＯＩ）が部分的に前記Ｘ線源のＦＯＶ内に位置付けられ、前記ガントリーはＣＴデータ収集中に前記ＶＯＩの周りでおよそ３６０°回転され、該ＦＯＶは、併せて撮影されたトランケーションされた１８０°の反対側のビューが前記ＶＯＩの完全な投影データセットを生成するようにトランケーションされる；
請求項９に記載のシステム。
【請求項１１】
平面パネル型Ｘ線検出器を収納位置と稼働位置との各々で固定する方法であって：
ガントリー上のマウントに結合された自動固定式伸張アームから外側に第１の位置まで、スライド式プレートを伸張させるステップであり、第１の運動変換部が、固定ピンを第１の受入孔から後退させて前記検出器を前記収納位置から解放するように、前記スライド式プレートに結合されたスライダーによる直線運動を、固定用ピンネジに与えられる回転運動へと変換するステップ；
前記自動固定式伸張アームを前記収納位置から前記稼働位置までおよそ９０°回転させるステップ；及び
前記スライド式プレートを第２の位置まで伸張させるステップであり、第２の運動変換部が、前記固定ピンを第２の受入孔内に平行移動させて前記検出器を前記稼働位置に固定するように、前記スライド式プレートに結合されたスライダーによる直線運動を、固定用ピンネジに与えられる回転運動へと変換するステップ；
を含み、
前記スライド式プレートは前記Ｘ線検出器に結合されており、前記Ｘ線検出器は前記稼働位置にあるとき、Ｘ線源からオフセットされ且つ該Ｘ線源を向くように方向付けられる、
方法。
【請求項１２】
第１の支点によって平面パネル型Ｘ線検出器に回転可能に結合され、且つ第２の支点によって回転式ガントリーに回転可能に結合された、自動固定可能な伸張アーム；
前記Ｘ線検出器に対向して前記ガントリーに結合されたコーンビームＸ線源であり、前記ガントリーを貫く長手方向軸に平行に、関心ボリューム（ＶＯＩ）に沿って長手方向に移動可能なＸ線源；
前記ガントリーに結合され、前記Ｘ線源の視野（ＦＯＶ）と重なり合うＦＯＶを有する１つ以上の核医学検出器；
前記伸張アーム上のハンドルであり、引かれたときに前記伸張アーム内のカムを作動させるハンドル；
を含み、
前記伸張アームは、前記ガントリーに寄せられる収納位置の間で、前記第２の支点の周りでおよそ９０°回転し、前記平面パネル型Ｘ線検出器は、前記Ｘ線検出器のＸ線受光面が前記Ｘ線源に面し且つ前記Ｘ線源から僅かにオフセットされる稼働位置まで、前記第２の支点の周りでおよそ１８０°回転し；
前記カムの作動により、前記カムは第１及び第２のベアリングに力を印加し、該力が前記第１及び第２のベアリングから力伝達手段に沿って第３及び第４のベアリングに伝達され、前記第３及び第４のベアリングにより、それぞれ、前記Ｘ線検出器を前記稼働位置に固定するように前記第１及び第２の支点に固定力が印加される；
複合型被検体撮像システム。
【請求項１３】
平面パネル型Ｘ線検出器を、使用しないときに、ガントリー内に収納する方法であって：
前記平面パネル型Ｘ線検出器を、当該平面パネル型Ｘ線検出器と、当該平面パネル型Ｘ線検出器を前記ガントリーに結合する自動固定式伸張アームとの間の第１の回転軸の周りで、前記ガントリーに結合されたＸ線源からオフセットされて該Ｘ線源に対向する稼働位置から、当該平面パネル型Ｘ線検出器の放射線受光面が前記伸張アームに面するまで、回転させるステップ；及び
前記平面パネル型Ｘ線検出器が、前記カントリーに搭載された１つ以上の核医学検出器の視野の外側に収納されるように、前記伸張アームを、当該伸張アームと前記ガントリーとの間の第２の回転軸の周りで、当該伸張アーム及び前記平面パネル型Ｘ線検出器が前記ガントリーの表面内の受入空洞内に位置付けられるまで回転させるステップ；
を含む方法。
【発明の詳細な説明】
【技術分野】
【０００１】
本出願は特に、診断撮像システム、とりわけコーンビーム・コンピュータ断層撮影（ＣＴ）と単光子放射型コンピュータ断層撮影（ＳＰＥＣＴ）とを伴う診断撮像システムに適用される。しかしながら、開示の技術が、その他の撮像システム、その他の医療シナリオ、又はその他の医療技術にも適用され得ることが認識されるであろう。
【背景技術】
【０００２】
核医学（ＮＭ）とＸ線ＣＴモダリティとの双方を結合した、例えばフィリップス社のＰｒｅｃｅｄｅｎｃｅ、フィリップス社のＧｅｍｉｎｉ、シーメンス社のＳｙｍｂｉａ等の典型的な商用システム設計は、直列型の幾何学構成で構成されている。この構成においては、ＮＭガントリーとＣＴガントリーとの間の空間だけ軸方向に離隔された２つの撮像視野（field-of-view；ＦＯＶ）領域の間に、１つの共通の患者テーブルが延在している。
【０００３】
例えばＧＥ社のＨａｗｋｅｙｅ等の別の商用システム設計においては、ｘ線源及びＣＴ検出器は、ＮＭ検出器を備えた１つの共通のガントリー上に搭載されているが、依然として軸方向に離隔されている。その他に、共通のガントリー上に搭載された平面パネル検出器を用いるコンセプトも提案されている。ＣＴ検出器及びＮＭ検出器が軸方向にずらされているとき、ＮＭデータ収集とＣＴデータ収集との間に軸方向の移動と時間的なオフセットとが存在することになる。これは、ＮＭデータ収集とＣＴデータ収集との間の被検体の動きとアライメントとに関する問題を生じさせる。
【０００４】
非対称な検出器構成での再構成法が、放射線源を用いるＳＰＥＣＴ検出器システムのＦＯＶを拡張することに関して発表されている。放射線治療システムは、より大きい撮像ＦＯＶを支援するように構成された平面パネルを用いて、標的腫瘍に一層正確に撮像を結合してきた。また、前臨床システムは、ボリュームＣＴ再構成を用いる非対称検出器構成を用いてきた。
【０００５】
例えばＳＰＥＣＴガントリーをＸ線ガントリーと組み合わせる等、２つの異なる技術を共に組み合わせるとき、幾つかの難題が発生する。これら２つのシステムを１つのガントリーへと一体化することは、更なる実装上の制約や、ＳＰＥＣＴ検出器の動作がＸ線部品との干渉を引き起こすことを伴う。例えば、配備後、平面パネルＸ線検出器は、アーチファクトを低減するように正確に位置決めされて安定に保たれる必要がある。また、配備は同一位置に再現可能であることが望ましい。
【発明の概要】
【発明が解決しようとする課題】
【０００６】
本出願は、患者スキャンの速度及び品質を改善するという利点を有し、上述及びその他の問題を解決する、新たな改善された複合型核医学／ＣＴシステム、及び画像の収集・再構成時間を改善する方法を提供する。
【課題を解決するための手段】
【０００７】
一態様に従って、複合型患者撮像システムは、回転式ガントリーに搭載された少なくとも２つの核医学検出器ヘッドと、前記ガントリーに搭載されたＸ線源と、前記Ｘ線源に対向し且つ前記Ｘ線源に対してオフセットされて前記ガントリーに搭載されたＸ線検出器とを含み、前記Ｘ線源の視野（ＦＯＶ）と前記核医学検出器ヘッドのＦＯＶとが互いに重なり合う。
【０００８】
他の一態様に従って、複合型被検体撮像システムは、回転式ガントリー上のマウントに、ヒンジピンによってヒンジ動作可能に結合された自動固定式伸張アームであり、平面パネルＸ線検出器に結合された伸張可能なスライド式プレートを含む自動固定式伸張アームと、前記Ｘ線検出器に対向して前記ガントリーに結合されたコーンビームＸ線源であり、前記ガントリーを貫く長手方向軸に平行に、関心ボリューム（ＶＯＩ）に沿って長手方向に移動可能なＸ線源と、前記ガントリーに結合され、前記Ｘ線源のＦＯＶと重なり合うＦＯＶを有する２つの核医学検出器とを含む。前記伸張アームは、前記マウントに寄せられる収納位置と、前記Ｘ線検出器のＸ線受光面が前記Ｘ線源に面し且つ前記Ｘ線源から僅かにオフセットされる稼働位置との間で、前記ヒンジピンの周りでおよそ９０°回転する。
【０００９】
更なる他の一態様に従って、平面パネル型Ｘ線検出器を収納位置と稼働位置との各々で固定する方法は、ガントリー上のマウントに結合された伸張アームから外側に第１の位置まで、スライド式プレートを伸張させるステップを含み、第１の運動変換部は、固定ピンを第１の受入孔から後退させて前記検出器を前記収容位置から解放するように、前記スライド式プレートに結合されたスライダーによる直線運動を、固定用ピンネジに与えられる回転運動へと変換する。当該方法は更に、前記伸張アームを前記収容位置から前記稼働位置までおよそ９０°回転させるステップと、前記スライド式プレートを第２の位置まで伸張させるステップであり、第２の運動変換部が、前記固定ピンを第２の受入孔内に平行移動させて前記検出器を前記稼働位置に固定するように、前記スライド式プレートに結合されたスライダーによる直線運動を、固定用ピンネジに与えられる回転運動へと変換するステップとを含む。前記スライド式プレートは前記Ｘ線検出器に結合されており、前記Ｘ線検出器は前記稼働位置にあるとき、Ｘ線源に向くように方向付けられる。
【００１０】
他の一態様に従って、複合的撮像方法は、少なくとも２つの核医学検出器ヘッド、Ｘ線源、及びＸ線検出器を患者寝台の周りで回転させるステップであり、前記Ｘ線源及び前記Ｘ線検出器の視野が、前記核医学検出器ヘッドの視野と一致するように回転させるステップと、ＣＴ撮像中に、患者のＶＯＩのトランケーションされた部分を、回転式ガントリーの反対側の１８０°の回転方向にて前記ＶＯＩの反対側の半分からのビューが収集されるように、収集するステップとを有する。
【００１１】
他の一態様に従って、複合型被検体撮像システムは、第１の支点によって平面パネル型Ｘ線検出器に回転可能に結合され、且つ第２の支点によって回転式ガントリーに回転可能に結合された、固定可能な伸張アームと、前記Ｘ線検出器に対向して前記ガントリーに結合されたコーンビームＸ線源であり、前記ガントリーを貫く長手方向軸に平行に、関心ボリューム（ＶＯＩ）に沿って長手方向に移動可能なＸ線源とを含む。当該システムは更に、前記ガントリーに結合され、前記Ｘ線源の視野（ＦＯＶ）と重なり合うＦＯＶを有する２つの核医学検出器を含む。前記伸張アームは、前記ガントリーに寄せられる収納位置の間で、前記第２の支点の周りでおよそ９０°回転し、前記平面パネル型Ｘ線検出器は、前記Ｘ線検出器のＸ線受光面が前記Ｘ線源に面し且つ前記Ｘ線源から僅かにオフセットされる稼働位置まで、前記第２の支点の周りでおよそ１８０°回転する。
【発明の効果】
【００１２】
１つの利点は、ＮＭデータ収集とＣＴデータ収集との間の間隔が短縮され、データ収集時間が短縮されることである。
【００１３】
他の１つの利点は、ＮＭ及びＣＴのデータ及び画像が本質的に整列されることにある。
【００１４】
他の１つの利点は、平面パネルＸ線検出器の固定が自動化されることにある。
【００１５】
以下の詳細な説明を読み、理解することにより、本出願に係る革新技術の更なる利点が当業者に認識されるであろう。
【図面の簡単な説明】
【００１６】
この革新技術は、様々な構成要素及びその構成、並びに様々なステップ及びその編成の形態を取り得る。図面は、様々な態様を説明するためのものに過ぎず、本発明を限定するものとして解されるべきでない。
【図１】例えば関心領域の中心を長手方向の軸付近に置くように、撮像あるいは検査される被検体を所望の位置に位置付けるように選択的に上下に位置決め可能な、例えばテーブル又は長椅子などの、患者支持台を含む撮像システムを示す図である。
【図２Ａ】２つの核医学検出器と、Ｘ線源すなわちＣＴ源と、ガントリーの共通回転中心に非対称に搭載された平面パネル型のＸ線検出器すなわちＣＴ検出器とを含む、一体化された複合型システムを示す正面図である。
【図２Ｂ】図２Ａの一体化複合型システムを示す側面図であり、２つのシステム間の撮像ＦＯＶが共通あるいは一致しており、患者の移動を殆ど、あるいは全く必要とせずに、同様の撮像面による共通に整合された画像が提供される。
【図２Ｃ】図２Ｂのシステムを示す別の側面図であり、ＣＴ源及びＣＴ検出器が長手方向軸に沿った退避位置に移動されている。
【図２Ｄ】ＣＴ源が、ＶＯＩを通るＸ線コーンビームを放射しながら、ガントリーを貫く長手方向の中心軸に平行に長手方向に移動するガントリーを示す側面図である。
【図２Ｅ】ＣＴのＸ線源及び平面パネル検出器が核医学検出器ヘッドに対して直列構成にある他の一実施形態に係るシステムを示す側面図である。この実施形態においては、核医学検出器ヘッドと、ＣＴ源及びＣＴ検出器とを（何れかの順序で）順番に使用して、関心ボリューム（ＶＯＩ）を撮像することができる。
【図３】円錐状のＸ線ビームの全て又は一部をオフセットされた平面パネル検出器に導くコリメータ・フィルタ装置を備えた他の一実施形態に係る撮像システムを示す図である。
【図４】心臓核医学検査において典型的に用いられる９０°の角度にＮＭ検出器を有する幾何学構成で構成されたシステムを示す図である。
【図５】核医学検出器（例えば、ＳＰＥＣＴ、ＰＥＴ）、ＣＴ源、及び平面パネル検出器が、ＣＴスキャン及び／又は核医学スキャン中にそれら装置を所望の位置に位置付け、且つ現在使用中でない移動要素を使用時の軌道外に位置付けることを容易にするトラック上に移動可能に搭載された、他の一実施形態に係る撮像システムを示す図である。
【図６】平面パネル検出器が、伸張部及び平面パネル検出器をガントリーに結合するマウントに固定可能に結合された伸張部上で外側に伸張された、その稼働位置にあるシステムを示す透視図である。
【図７】平面パネル検出器を１つ以上の位置に固定するための自動固定機構を、伸張された位置にある伸張アームとともに示す斜視図である。
【図８】収容位置にある平面パネル検出器の自動固定機構を示す図である。
【図９】完全に伸張された位置にある自動固定機構を示す図である。
【図１０】伸張アームがその伸張位置にあるときの自動固定機構のヒンジ部を示す図である。
【図１１】核医学検出器と、平面パネルＸ線検出器の反対側に示された放射線源とを備えたガントリーを示す図である。
【図１２】核医学検出器及び放射線源を、配備された平面パネル検出器とともに示す、ガントリーを示す図である。
【図１３Ａ】折り畳み位置に格納された平面パネル検出器を、やはり折り畳まれた収容位置にある伸張アームに対して示す図である。
【図１３Ｂ】第１の旋回軸又はヒンジの周りで伸張アームから外側に折り返された、あるいは回転された平面パネル検出器を示す図である。
【図１３Ｃ】収容位置から外側に稼働位置まで回転された、完全に伸張された位置にある平面パネル検出器及び伸張アームを示す図である。
【図１３Ｄ】固定伸張位置にある平面パネル検出器及び伸張アームを示す図である。
【図１４】伸張位置すなわち稼働位置にある固定可能な伸張アーム・平面パネル検出器アセンブリを備えた一実施形態に係るシステムを示す図である。
【発明を実施するための形態】
【００１７】
ここで説明するシステム及び方法は、単一の患者撮像装置内で、コーンビームＣＴ（ＣＢＣＴ）源を、オフセットされた平面パネル検出器及び核医学撮像ヘッドと組み合わせることに関する。オフセットされた平面パネル検出器を用いることにより、フルサイズのＣＴ検出器と比較して検出器のサイズを最小化して占有空間を縮小し、核医学撮像ヘッドの動作自由度を増大させることが可能である。核医学撮像は、診断や治療効果の評価に使用可能な生理学的過程及び／又は機能情報を提供する。例えば相互に整合されたＣＢＣＴ等の別のモダリティの付加は、読み取る者の臨床上の確信を高める上で有用である。また、ＣＢＣＴ情報は、放射データの減衰を補正し、定量的な正確性及び画像の品質を向上させるために使用することが可能である。
【００１８】
その他の特徴は、平面パネル検出器がＣＢＣＴスキャン中に適所に留まり、且つＣＢＣＴ源が使用されないときに、例えば核医学（ＮＭ）撮像中又はシステム休止時間中などに、軌道外に収容されることを確実にする固定機構に関する。
【００１９】
図１を参照するに、撮像システム１０は、例えば患者の関心ボリュームの中心を撮像システムの長手方向軸付近に置くように、撮像あるいは検査される被検体を所望の高さに位置付けるように選択的に上下に位置決め可能な、例えばテーブル又は長椅子などの患者支持台１２を含んでいる。テーブルは寝台１４を含んでおり、寝台１４は、核医学検出器ヘッド１８（例えば、ガンマカメラ又はこれに類するもの）による撮像、及び／又はＣＢＣＴのＸ線源２０と平面パネルＣＢＣＴ検出器すなわちＸ線検出器２２とによる撮像のために患者の関心ボリューム（ＶＯＩ）が撮像システムの視野（ＦＯＶ）内に平行移動され得るように、回転可能なガントリー１６を貫く長手方向軸に平行に移動可能である。例えばモータ等の動力源（図示せず）が、選択的に、ＶＯＩをＦＯＶ内に位置付けるように寝台を長手方向軸に平行に駆動する。検出された患者画像データ（例えば、核医学データ及び／又はＣＴデータ）は、オペレータがモニタ２４上で見る画像を生成するために画像再構成などを実行する適当なハードウェア及びソフトウェアを含むワークステーション（図示せず）によって受信される。
【００２０】
インナーガントリー構造２６は、アウターガントリー構造２８に、ステップ回転又は連続回転で回転可能なように搭載されている。核医学検出器ヘッド１８は、受け入れた被検体の周りのグループとして、回転ガントリー構造２６の回転とともに回転する。核医学検出器ヘッドは、中心軸の周りの多様な角度方向及び中心軸からの多様な変位の何れかに当該検出器ヘッドを位置付けるために、回転ガントリー２６上で被検体からの距離及び間隔を変化させるように、径方向、円周方向及び横方向に調整可能である。例えば、径方向、円周方向、及び被検体の接線方向において横方向に、独立に核医学検出器ヘッドを（例えば、直線状の軌道又はその他の適切なガイドに沿って）平行移動させるために、例えばモータ及び駆動アセンブリ等の別個の並進装置群が設けられる。ここで説明する２つの検出器ヘッドを用いる実施形態は、２検出器システム、３検出器システム、又はこれらに類するもので実施されることができる。同様に、例示する実施形態を３検出器システムに適応するために三回対称性を用いることも意図される。
【００２１】
一実施形態において、核医学検出器ヘッドはＳＰＥＣＴ検出器ヘッドである。ＳＰＥＣＴ撮像においては、検出器ヘッド上の各座標で受信された放射線データによって投影画像表現が定められる。ＳＰＥＣＴ撮像において、受信放射線が沿う光線はコリメータによって定められる。
【００２２】
他の一実施形態において、核医学検出ヘッドは陽電子放射型断層撮影（ＰＥＴ）検出器ヘッドである。ＰＥＴ撮像において、検出器ヘッドの出力は、２つのヘッド上の同時放射線イベントに関して監視される。ヘッドの位置及び方向と同時放射線が受信された面とから、同時イベント検出点同士の間の光線すなわちライン・オブ・レスポンス（ＬＯＲ）が計算される。このＬＯＲは、発生した放射線イベントが沿った直線を定める。ＰＥＴ及びＳＰＥＣＴの何れにおいても、ヘッドの様々な角度方向からの放射線データが、関心ボリュームの容積的なボリューム画像表現へと再構成される。
【００２３】
ＣＢＣＴ源２０は、図３に関連して後述するように、例えばコリメータ及びアクシャルフィルタを採用することによって、ＣＴ撮像に好適なスキャン中の或る時点で視野（ＦＯＶ）の一部のみが画像化されるように複数の領域にセグメント化することができる。
【００２４】
ＣＢＣＴ源２０は、寝台２４の有限運動を用いて、あるいは寝台１４の運動を用いずにＣＴ撮像及びエミッション撮像の双方のＦＯＶが一致する、あるいは重なり合うように、ＦＯＶの周りを回転する。平面パネル放射線検出器２２は、ＣＴのＦＯＶが切り捨て（トランケーション）なしで患者を撮像するのに十分であるように、回転中心に対して非対称な配置で置かれている。また、平面パネル検出器は、Ｘ線像として解釈可能な高分解能のＸ線写真データを生成することの助けとなる。故に、システム１０は、２つの撮像面の間の変位が、直列型システムと比較して優位に低減あるいは排除されるので、核医学撮像（例えば、ＳＰＥＣＴ、ＰＥＴ等）画像とＣＴ又はその他のモダリティの画像との間の整合問題を排除あるいは軽減するマルチモダリティシステムである。これはまた、２つの別個の撮像システムの異なるＦＯＶまで患者支持台が延在される必要がないので、結合型スキャナのための部屋の大きさについての要求を軽減する。それにより、敷地造成の複雑度及びコストが低減され、既存施設へのＳＰＥＣＴ／ＣＴシステム又はＰＥＴ／ＣＴシステムの事後導入が容易になる。
【００２５】
非対称な検出器配置を用いることにより、平面パネル検出器２２は、核医学検出器１８の従来の運動を提供するように小型化されることが可能であり、より大型のＣＴ検出器が用いられた場合に生じ得る離隔（クリアランス）問題を軽減する。また、既存のＳＰＥＣＴ又はＰＥＴ用の撮像テーブル構成に対して患者テーブルに変更の必要がないため（例えば、核医学撮像ＦＯＶとＣＴ撮像ＦＯＶとが一致するため）、患者テーブルには追加のコストは伴わない。また、ＣＴのＦＯＶを拡大し（例えば、およそ５０ｃｍ以上まで倍化）、大柄の患者のスキャンをトランケーションなしで可能にすることができる。また、核医学検出器ヘッドの回転速度は重量面及び安全面での制約によって制限され得る。逆に、ボリュームＣＢＣＴの収集及び再構成は、一回転で大きい軸方向のカバレッジを実現する。これは、全体的なスキャン時間を短縮して息止め収集を可能にし、画像の品質を向上させることになる。
【００２６】
図２Ａは、２つの核医学検出器１８と、Ｘ線源すなわちＣＴ源２０と、ガントリー１６の共通回転中心に非対称に搭載された平面パネル型のＸ線検出器すなわちＣＴ検出器２２とを含む、一体化された複合型システム１０を示している。核医学検出器は、例えば全身用平面ＳＰＥＣＴ又はＰＥＴスキャンプロトコルなどのための、１８０°配置で示されている。ＣＴ源２０は、非対称に整列されたＣＴ検出器２２上に向けて非対称ビームを放射する。非対称ビームは、例えば、（図示しない）ビームフィルタ、コリメータ又はこれらに類するものを用いて生成され得る。ＣＴ検出器は、完全なＶＯＩ４２のＣＴ画像を生成するために、ＶＯＩ４２の複数の重なり合うＦＯＶ４０を生成するように複数の位置に移動されることができる。なお、ガントリーが１８０°回転したとき、放射線ビームはＶＯＩの残りの半分を撮像することになる。
【００２７】
図２Ｂは、システム１０の側面図を示しており、２つのシステム間の撮像ＦＯＶが共通あるいは一致しており、患者の移動を殆ど、あるいは全く必要とせずに、同様の撮像面による共通に整合された画像が提供される。ガントリーは、トランケーションされた反対からのビュー（１８０°）がともに重み付けられて患者を包含する完全な投影データセットが収集されるように、ＣＴ収集中に３６０°回転されることができる。検出器２２は、データを逃すことなく互いに反対からの投影間でオーバーラップを作り出すようにオフセットされることが可能である。検出器をオフセットすること、すなわち、ずらすことは、トランケーションされた投影データを削減することによって画像アーチファクトを低減する。そして、例えばフェルトカンプアルゴリズム等のアルゴリズムを用いた再構成が用いられ、解剖学的局在化又は減衰補正の何れかに用い得るボリュームＣＴデータセットが生成される。回転中のＸ線源の動きは、完全なサンプリングを達成し、ＣＢＣＴ再構成を改善する。
【００２８】
図２Ｃは、システム１０の別の側面図であり、ガントリーの円周の周りの回転に加え、ガントリーを貫く長手方向軸に沿ったＣＴ源の動きを示すために、ＣＢＣＴ源２０がガントリー１６の方にずらされている。ＣＴ源は、故に、複数の角度及び位置から完全なる画像データの組を生成するために、ＶＯＩの周りで回転されることに加え、ＶＯＩの全長をスキャンするように伸張され、且つ／或いは退避されることができる。ガントリーの回転動作中、核医学検出器１８はＣＴ源及びＣＴ検出器に対して静止した状態にされ、その結果、全ての装置がガントリーとともに移動し、核医学検出器がＣＴヘッドのＦＯＶの外側に保たれること又はこの逆が確保される。
【００２９】
図２Ｄは、ガントリー１６の側面図を示しており、ＣＴ源２０が、ＶＯＩ４２を通るＸ線コーンビームを放射しながら、ガントリーを貫く長手方向の中心軸に平行に、長手方向に移動している。長手方向でのＣＴ源の動きは、ＶＯＩを移動させる必要なくＶＯＩ全体をスキャンすることを容易にするものであり、また、ＣＴスキャン中に欠けたＶＯＩ部分が存在しないことを確保するように、ガントリーが（例えば、連続的に、あるいはステップ動作にて）回転される間に実行されることができる。また、検出器２２は、ＣＴ源とともに長手方向に移動されてもよいし、静止したままにされてもよい。検出器２２が移動いようと静止していようと、Ｘ線ビームを検出器２２の方に導くために、フィルタ（図示せず）が用いられ得る。斯くして、システム１０は、不完全なサンプリングによって生じ得る問題を軽減する。
【００３０】
図２Ｅは、システム１０の別の側面図を示しており、ＣＴのＸ線源２０及び平面パネル検出器２２は核医学検出器ヘッド１８に対して直列構成にある。この実施形態においては、核医学検出器ヘッドと、ＣＴ源及びＣＴ検出器とを（何れかの順序で）順番に使用して、ＶＯＩを撮像することができる。
【００３１】
図３は、円錐状のＸ線ビームの全て又は一部をオフセットされた平面パネル検出器に導くコリメータ・フィルタ装置５０を備えた撮像システムの他の一実施形態を示している。このシステムはガントリー１６を含んでおり、ガントリー１６は、当該ガントリーの撮像領域内に挿入されるときにテーブル支持体（図示せず）によって支持される寝台（図示せず）を受け入れる。ガントリーに、Ｘ線源２０及び平面パネル検出器２２とともに、一対の核医学検出器１８（例えば、ＳＰＥＣＴ検出器、ＰＥＴ検出器など）が移動可能に位置付けられる。Ｘ線源は、当該Ｘ線源の使用中に熱を消散させる熱交換装置５２を含んでいる。また、ＶＯＩ（図示せず）と平面パネル検出器２２との間に散乱グリッド５４が位置付けられている。散乱グリッドは、一次Ｘ線を検出器へと通しながら散乱あるいは減衰されたＸ線を吸収し、Ｘ線検出を改善する。
【００３２】
患者動き検出器５６が患者の動きを検出する。患者動き検出器５６は、患者のＶＯＩがＣＴ撮像及び／又は核医学撮像の検出器のＦＯＶ内に留まることを確実にするように、ＣＴ撮像及び／又は核医学撮像の検出器の調整をトリガーすることができる。例えば、検出された患者の動きは、制御サーバ５８及び／又はガントリー動作コントローラ６０が、検出器１８、ＣＴ源とＣＴ検出器システム、及び／又は患者寝台それぞれの移動を開始するようにトリガーすることが可能であり、患者をＦＯＶ４０内に維持するように電力を供給する。
【００３３】
Ｘ線発生器６２がＸ線源２０に電力を供給し、ＣＴスキャン中に該Ｘ線源を介して放射されるＸ線が生成される。Ｘ線発生器は更に、Ｘ線コントローラ６４に結合されている。Ｘ線コントローラ６４は、ＣＴスキャン中の適時に適当な強度などでＸ線を生成するようにＸ線発生器に信号伝達する。コントローラ６４はまた、（電源を備えた）コマンドプロセッサ６６に結合されている。コマンドプロセッサ６６は、検出されたＸ線情報を平面パネル検出器２２から受信するとともに、それに電力を供給する。コマンドプロセッサは更に、ガントリーと、検出されたＳＰＥＣＴデータ及びＣＴデータを受信するＳＰＥＣＴ−ＣＴ収集部６８とに結合されている。ワークステーション６９は、収集されたデータを受信するものであり、ＶＯＩ又は患者のＣＴ画像及び核医学画像を再構するための再構成プロセッサ及びメモリ（図示せず）を含んでいる。
【００３４】
図４は、心臓核医学検査において典型的に用いられる幾何学構成で構成されたシステム１０を示している。ＣＴ源２０は、心臓スキャンを実行する時に望ましいものである相互に９０°の向きにした核医学検出器群１８の動作を妨げないようにして、ガントリー上に位置付けられている。核医学検出器は、所望時に平面パネル検出器２２によって検出されるようにＣＴ源がＸ線ビームを放射することを可能にするよう、（図示の向きにおいて）横方向に移動可能である。
【００３５】
図５は、核医学検出器１８（例えば、ＳＰＥＣＴ又はＰＥＴ）、ＣＴ源２０、及び平面パネル検出器２２が、ＣＴスキャン及び／又は核医学スキャン中にそれら装置を所望の位置に位置付けることを容易にするトラック上に移動可能に搭載された、他の一実施形態に係るシステム１０を示している。核医学検出器ヘッドは、円形経路に沿って移動するフレームに搭載されている。これらの核医学検出器は、相互に近付いたり遠ざかったりする該フレームの部分に沿って平行移動し、これら検出器ヘッドは、ガントリー１６に従う複雑で制御された経路にて移動される。Ｘ線源及びＸ線検出器は、ガントリーの周りの円形経路上を移動する。また、Ｘ線源及びＸ線検出器は、核医学検出器に垂直且つガントリーを貫く中心軸に垂直なフレーム部分に沿って（例えば、図５の回転方向において上下）移動する伸張／格納可能なアームによってガントリーに取り付けられている。Ｘ線検出器（図５においては、収容位置又は折り畳み位置に示されている）を所望の位置に自動的に固定するために、格納可能な伸張アームが伸張された状態で用いられる。一実施形態において、平面パネル検出器は、該検出器の折り畳み及び展開を可能にする直線状のスライド式アームに取り付けられる。このアームは、円形経路で移動する梁（ビーム）に取り付けられ、自動機械的固定手段を含む。斯くして、システム１０は、検出器２２を手動で固定する必要性を軽減する。
【００３６】
図６は、平面パネル検出器２２が、伸張アーム及び平面パネル検出器をガントリー１６に結合するマウント７２に固定可能に結合された伸張アーム７０上で外側に伸張された、その稼働位置にあるシステム１０を示している。ＣＴ源２０がＦＯＶを横切るＸ線ビームを平面パネル検出器へと放射する一方で、核医学検出器１８は経路外に位置付けられる（例えば、側方に外される）。例示した図において、伸張アームはページの外側に伸張している。
【００３７】
図７は、平面パネル検出器を１つ以上の位置に固定するための自動固定機構８０を、伸張された位置にある伸張アーム７２とともに示す斜視図である。この機構はマウント７０を含んでおり、伸張アーム７２がそれにヒンジ構成で結合されている。伸張部は、複数の伸張可能なスライダー８４を備えたスライド式プレート８２を含んでおり、スライド式プレート８２は、伸張されるとき、これらスライダー８４に沿って移動する。少なくとも１つのスライダー８４は、当該スライダーの直線運動を回転運動に変換する運動変換部８６に結合されている。一実施形態において運動変換部は、スライダー内のラックアンドピニオン式システム（図示せず）によって回転されるギアであり、スライダーが伸張されるときギアは第１の方向に回転し、スライダーが格納されるときギアは反対方向に回転する。
【００３８】
マウント７０と伸張アーム７２との間のヒンジ式の結合は、伸張アームの上部及び下部の端部を通り且つ複数のヒンジ部９２を通って延在するピン９０を含んでいる。ギアは、固定用のピンネジ８８を機械的に接触しており、ギアが上記第１の方向に回転するとき、固定用ピンネジを回転させて固定ピン９４を伸張させる。固定ピンは、孔部９６によって受け入れられ、検出器が完全に展開されたときの位置で伸張アーム７２を固定する。
【００３９】
図８は、収容位置にある平面パネルＣＴ検出器の自動固定機構８０を示している。伸張アーム７２はマウント７０に寄せて収容されている（例えば、伸張アーム７２はヒンジピン９０の周りで収容位置まで回転されている）。スライダー式プレート８２は伸張アーム７２内に完全に格納されている。
【００４０】
図９は、完全に伸張された位置にある自動固定機構８０を示している。伸張アーム７２は、マウント７０に寄せられた収容位置から、ヒンジピン９０の周りで外側に、およそ９０°回転される。スライド式プレートは、伸張アーム内にある収容位置から外側に伸張されている。スライド式プレートの運動は、固定用ピンネジを作動させる回転運動に変換され、固定用ピンネジは、固定ピンを受入孔内まで延在させ、伸張アーム及びスライド式プレートが伸張位置に固定される。
【００４１】
図１０は、伸張アーム７２がその伸張位置にあるときの自動固定機構８０のヒンジ部を示している。伸張アームは、ヒンジピン９０の周りで、マウント７０から離れる方向に回転されている。スライド式プレート８２が伸張アームから外側に部分的に伸張されるとき、スライダー８４は、第１の運動変換部を作動させ、当該スライダーの直線運動を、固定用ピンネジ８８を第１の受入孔９６から抜き出す回転運動に変換させる。そして、伸張アームはマウントから９０°外側に回転され、スライド式プレートは伸張アームから完全に伸張される。スライド式プレートの完全なる伸張は、スライダーを第２の運動変換部８７に結合させる。第２の運動変換部８７は、固定用ピンネジ８８に、固定ピン９４を第２の受入孔９８内まで延在させることを行わせ、それにより伸張アームはその伸張位置に固定される。
【００４２】
以下の例は、これまでの図に関して伸張アームの動きを説明するものである。平面パネル検出器の自動固定アセンブリは、図５及び８に示した位置に収容されている。固定ピン９４が、対応するヒンジ嵌合部の第１の受入孔９６内にかみ合う。故に、伸張アーム７２は折り畳み位置で固定される。スライダー８４が第１の位置まで外側に直線的に移動することを開始し、運動変換部８６が直線運動を回転運動に変換し、固定用ピンネジ８８を第１の受入孔９６から抜き出させる。この時点では、スライド式プレートの進行が部分的に行われたのみであり、ヒンジは固定されていない。その後、アームがおよそ９０°回転され、伸張アームのスライド式プレートが、完全に伸張された位置すなわち稼働位置まで更に引き出され、固定ピンを第２の受入孔９８内に挿入するようにネジ８８を反対方向に嵌合・回転させることを第２の運動変換部８７に行わせる。故に、ヒンジは、図６及び７で示した伸張位置で再び固定される。
【００４３】
従って、例えば図６に示したラックアンドピニオン式アセンブリ等の機構を介して直線運動を回転運動に変換することによって固定が達成される。スライダー８４が内側及び外側に移動するとき、細かいピッチのスクリューシステムが回転され、固定ピン９４が、対を為すヒンジ内に設けられた精密な孔の１つに挿入される。それにより、平面パネル検出器を所与の位置に手動で固定することが不要になる。また、この機構は、検出器を適所に自動的に固定するので、オペレータが検出器を適所に固定し忘れることに対する予防手段を提供する。
【００４４】
他の一実施形態において、スライド式プレートの自動二段階動作と伸張アームの回転とを実行するために、電力駆動部（図示せず）が含められる。その電力駆動は、検出器を収容位置と稼働位置との間で移動させるように、ユーザインタフェース（例えば、コンピュータ又はワークステーション）から制御することができる。
【００４５】
他の一実施形態において、システムを動作させる方法は、Ｘ線源と核医学検出器ヘッドとが重なり合う視野又は一致する視野を有するように核医学検出器ヘッド１８、Ｘ線源２０及びＸ線検出器を患者寝台１４の周りで回転させることを含む。この方法によれば、Ｘ線検出器は、ＣＴ収集が行われているとき稼働位置で固定され、ＣＴ収集が行われていないとき（例えば、核医学画像データ収集中、又はシステムが使用されていないとき）収容位置で固定される。ＣＴ撮像において、ガントリー１６が回転するときにＶＯＩのビュー（view）が反対方向の１８０°から収集されるよう、患者のＶＯＩ４２の部分群のトランケーションされたＸ線データが収集される。例えば、ガントリーがその開始地点の反対側の１８０°地点を通って回転する時、Ｘ線源及びＸ線検出器は、ＶＯＩの反対側からのビューを生成し始める。斯くして、完全なデータセットが確保され、冗長なデータは後に、画像再構成の前に除去される。また、Ｘ線検出器はＣＴ収集中に適所（例えば、Ｘ線源に対向する稼働位置）に固定される。ＣＴ収集が完了すると、核医学撮像データ収集が開始し得るように、Ｘ線源は経路外に折り畳まれ、Ｘ線検出器は折り畳まれて収容位置で固定される。例えば、検出器は、ＣＴの稼働中に伸張アーム７２の外側に伸張するスライド式プレート８２に取り付けられる。スライド式プレートは、完全に伸張した位置から部分的に伸張した位置まで格納されることが可能であり、該プレートの格納中の直線運動は運動変換部８７によって回転運動に変換されることができる。この回転運動は、固定用ピンネジ８８を回転させ、それにより、固定ピンが受入孔９８から引き抜かれて、検出器が稼働位置から解放される。ピンが受入孔９８の外側になると、伸張アームはマウント７０に寄せて折り畳まれる。この時点で、スライド式プレートは伸張アーム内に完全に格納され、運動変換部８６がスライダー８４の直線運動を、固定用ピンネジに与えられる回転運動へと変換する。それにより、固定ピンが受入孔９６に挿入され、検出器が収容位置で固定される。上述の動作は、ＣＴ収集が実行されるべきときにはいつでも、検出器を収容位置から解放し、それを稼働位置に固定するために逆にして行われることができる。
【００４６】
図１１は、核医学検出器１８と、平面パネルＸ線検出器２２の反対側に示された放射線源２０とを備えたガントリー１６を示している。平面パネル検出器２２は、その格納位置で示されており、回転ガントリー部２６の壁部内にある。このように平面パネル検出器を格納することにより、平面パネル検出器２２は核医学検出器１８の経路外となる。また、例えば、コリメータ交換、ベッド撮像、核医学検出器のＱＣチューニング、及び輸送の間、平面パネル検出器が保護される。
【００４７】
図１２は、核医学検出器１８及び放射線源２０を、配備された平面パネル検出器２２とともに示す、ガントリー１６を示す図である。放射線受光面が放射線源２０に面するように、伸張アーム７２’がガントリーの表面内の収納位置から外側に折り返され、さらに、平面パネル検出器が伸張アームから外側に折り返されている。
【００４８】
図１３Ａ−Ｄは、展開の様々な段階にある平面パネル検出器２２及び伸張アーム７２’の上面図を示している。図１３Ａにおいて、平面パネル検出器２２は伸張アーム７２’に寄せられた折り畳み位置に格納されており、伸張アーム７２’もまた、折り畳まれた収容位置にある。
【００４９】
図１３Ｂにおいて、平面パネル検出器２２は、第１の旋回軸又はヒンジ１１０の周りで伸張アーム７２’から外側に折り返され、あるいは回転されている。伸張アーム７２’は、第２の旋回軸又はヒンジ１１２の周りで収納位置から外側に回転され、あるいは折り返されている。
【００５０】
図１３Ｃにおいて、平面パネル検出器２２及び伸張アーム７２’は、完全に伸張された位置にあり、収容位置から外側に、放射線受光面が放射線源（例えば、ガントリーの検査領域の反対側に位置付けられている）からの放射線を受けるように向けられた稼働位置まで回転されている。
【００５１】
図１３Ｄにおいて、平面パネル検出器２２及び伸張アーム７２’は固定された伸張位置にある。例えば、検出器２２を適所に固定するために、オペレータが伸張アーム７２’内の収納位置からハンドル１２０を引き出す。ハンドル１２０は、外に引き出されると、伸張アーム内のカム１２２を作動させ、このカムによって、伸張アーム７２’の内部の１つ以上のトラック１２７、１２８内に位置付けられた１つ以上の玉（ボール）又はベアリング１２４、１２６に力が及ぼされる。一実施形態において、これらのトラックは、カムの動作を受けてボール同士の間で力を伝達する力伝達手段（例えば、バネ、ロッド、又はこれらに類するもの）を含んでいる。例えば、カムがボール１２６に圧力を印加すると、トラック１２７を介してボール１３０に力が伝達され、そして、ボール１３０が回転軸（支点）１１０に停止力を印加することにより、平面パネル検出器２２がその固定位置から移動することが防止される。同様且つ同時に、カムの動作がボール１２４に圧力を印加し、ボール１２４がトラック１２８を介してボールプランジャー１３２に力を伝達する。故に、ボールプランジャーが、ボール又はベアリング１３４を、回転軸（支点）１１２内のボール受入溝１３６に押し込み、稼働中に伸張アーム７２’が移動することが防止される。斯くして、伸張アーム及び平面パネル検出器は、この二回転軸固定構成によって、正確に、再現可能に、且つ安全に、展開された稼働位置で固定される。
【００５２】
図１４は、伸張位置すなわち稼働位置にある固定可能な伸張アーム・平面パネル検出器アセンブリを備えた一実施形態に係るシステム１０’を示している。システム１０’は、ガントリー１６の検査領域内に、そして検査領域外に、患者を平行移動させる患者寝台１４を備えた被検体支持台１２を含んでいる。一対の核医学検出器ヘッド１８、放射線源２０、及び平面パネル検出器２２が、ガントリー１６に搭載されている。システム１０’によって生成された被検体の画像を見るためのモニタ２４が設けられている。平面パネル検出器２２は、使用されていないとき、核医学検出器１８の経路から外され、受入空洞１５０内に収納される。認識されるように、システム１０’の構成要素は、図１−５に関連して説明したシステム１０の構成要素と同様あるいは同一としてもよく、更に図１２−１３Ｄの伸張アーム７２’を採用してもよい。
【００５３】
幾つかの実施形態を参照しながら本発明を説明した。以上の詳細な説明を読み、理解した者は、変更及び変形に思い当たるであろう。本発明は、添付の請求項の範囲又はその均等範囲に入る限りにおいて、そのような全ての変更及び変形を含むものとして解されるものである。
【図１】
2014039845.tif 000003
【図２Ａ】
2014039845.tif 000004
【図２Ｂ】
2014039845.tif 000005
【図２Ｃ】
2014039845.tif 000006
【図２Ｄ】
2014039845.tif 000007
【図２Ｅ】
2014039845.tif 000008
【図３】
2014039845.tif 000009
【図４】
2014039845.tif 000010
【図５】
2014039845.tif 000011
【図６】
2014039845.tif 000012
【図７】
2014039845.tif 000013
【図８】
2014039845.tif 000014
【図９】
2014039845.tif 000015
【図１０】
2014039845.tif 000016
【図１１】
2014039845.tif 000017
【図１２】
2014039845.tif 000018
【図１３Ａ】
2014039845.tif 000019
【図１３Ｂ】
2014039845.tif 000020
【図１３Ｃ】
2014039845.tif 000021
【図１３Ｄ】
2014039845.tif 000022
【図１４】
2014039845.tif 000023